(57)【要約】【課題】  撮影する画像サイズが必要以上に小さすぎたり、圧縮率が高すぎたりすると、人物の顔が識別できない画像となることがある。【解決手段】  撮影及び印刷する画像から画像に含まれる人の数と顔の大きさを認識して、その情報を元に最適な画像サイズ、圧縮率、用紙サイズの判定を行う。【選択図】  図１
2008017127.tif 000002
【特許請求の範囲】
【請求項１】
撮影光学系により形成された被写体像を光電変換する撮像手段と、
前記撮像手段から得られる画像信号より被写体を検出する被写体検出手段とを備え、
前記被写体検出手段は、被写体を検出する元となった画像信号についての被写体情報を生成し、少なくとも、該被写体情報及び予め設定された出力情報のいずれかに応じて、少なくとも画像サイズ及び圧縮率のいずれかが設定されることを特徴とする撮像装置。
【請求項２】
設定されている前記画像サイズ及び前記圧縮率にて画像調整処理を行い、少なくとも該設定されている画像サイズ及び圧縮率のいずれかを、画像表示部に表示した後、記録するか否かの選択を問うことを特徴とする請求項１に記載の撮像装置。
【請求項３】
前記選択の結果、記録をしない場合は、設定されている前記画像サイズ及び前記圧縮率を、操作部を介して任意に変更できることを特徴とする請求項２に記載の撮像装置。
【請求項４】
撮影光学系により形成された被写体像を光電変換する撮像手段と、
前記撮像手段から順次得られる信号より被写体を検出する被写体検出手段とを備え、
前記被写体検出手段は、被写体を検出する元となった画像信号についての被写体情報を生成し、該被写体情報に対して、少なくとも前記撮影画像に設定されている出力情報及び画像サイズ及び圧縮率のいずれかが条件を満たす設定になっているか否かを判定することを特徴とする撮像装置。
【請求項５】
前記設定が条件を満たさない場合は、条件を満たしていない旨を通知することを特徴とする請求項４に記載の撮像装置。
【請求項６】
前記被写体情報とは、少なくとも、画像データから検出された被写体の数及び画像データから検出された全ての被写体領域の合計面積の占める割合及び形状及び位置及び色のいずれかであることを特徴とする請求項１又は４に記載の撮像装置。
【請求項７】
前記出力情報とは、少なくとも、用紙サイズ及びプリントクオリティーのいずれかであることを特徴とする請求項１又は４に記載の撮像装置。
【請求項８】
画像信号より被写体領域を検出する被写体検出手段を備える画像形成装置において、
被写体を検出する元となった画像信号についての被写体情報を生成し、少なくとも該被写体情報及び画像サイズ及び圧縮率のいずれかに応じて、出力情報を設定する、或いは、条件を満たす設定がない旨を通知することを特徴とする画像形成装置。
【請求項９】
設定されている出力情報を画像表示部に表示した後、印刷するか否かの選択を問うことを特徴とする請求項８に記載の画像形成装置。
【請求項１０】
前記選択の結果、印刷をしない場合は、設定されている前記出力情報を、操作部を介して任意に変更できることを特徴とする請求項９に記載の画像形成装置。
【請求項１１】
画像信号より被写体領域を検出する被写体検出手段を備える画像形成装置において、
前記被写体検出手段は、被写体を検出する元となった画像信号についての被写体情報を生成し、該被写体情報に対して、少なくとも前記画像信号に設定されている出力情報及び画像サイズ及び圧縮率のいずれかが、条件を満たす設定になっているか否かを判定することを特徴とする画像形成装置。
【請求項１２】
前記判定の結果、条件を満たす設定でないと判断されると、表示部に警告表示を行うことを特徴とする請求項１１に記載の画像形成装置。
【請求項１３】
前記警告表示の後、印刷するか否かの選択ができることを特徴とする請求項１２に記載の画像形成装置。
【請求項１４】
前記被写体情報とは、少なくとも、画像データから検出された被写体の数及び画像データから検出された全ての被写体領域の合計面積の占める割合及び形状及び位置及び色のいずれかであることを特徴とする請求項８又は１１に記載の画像形成装置。
【請求項１５】
前記出力情報とは、少なくとも、用紙サイズ及びプリントクオリティーのいずれかであることを特徴とする請求項８又は１１に記載の画像形成装置。
【発明の詳細な説明】
【技術分野】
【０００１】
本発明は、被写体を認識し、その認識結果に応じて撮影する撮像装置と、撮像装置の制御方法及び、認識された顔を印刷する画像形成装置の画像形成方法に関する。
【背景技術】
【０００２】
デジタルカメラなどの撮像装置において、撮影する映像信号の中から顔領域を認識し、その認識結果に応じて顔領域に焦点が合った画像を撮影することが可能な撮像装置が提案されている。また、その認識結果に応じて顔領域を好適な色合いに印刷することが可能な印刷装置も提案されている（特許文献１）。
【特許文献１】特開２００４−２５２９９９号公報
【発明の開示】
【発明が解決しようとする課題】
【０００３】
撮影する画像サイズが必要以上に小さすぎたり、圧縮率が高すぎたりすると、人物の顔が識別できない画像となることがある。
つまり、顔領域に焦点が合っている画像、顔領域が好適な色合いである画像であったとしても、画像サイズや、圧縮率が適切でなければ、好適な出力画像を得ることは難しかった。
また、撮影者が撮影のたびに、最適な画像サイズ及び圧縮率を決定するのは困難であった。
【課題を解決するための手段】
【０００４】
上記課題を解決するため、本願にかかる発明は、撮影光学系により形成された被写体像を光電変換する撮像手段と、前記撮像手段から得られる画像信号より被写体を検出する被写体検出手段とを備え、前記被写体検出手段は、被写体を検出する元となった画像信号についての被写体情報を生成し、少なくとも、該被写体情報及び予め設定された出力情報のいずれかに応じて、少なくとも画像サイズ及び圧縮率のいずれかが設定されることを特徴とする撮像装置を提供するものである。
【０００５】
また、上記課題を解決するため、本願にかかる発明は、撮影光学系により形成された被写体像を光電変換する撮像手段と、前記撮像手段から順次得られる信号より被写体を検出する被写体検出手段とを備え、前記被写体検出手段は、被写体を検出する元となった画像信号についての被写体情報を生成し、該被写体情報に対して、少なくとも前記撮影画像に設定されている出力情報及び画像サイズ及び圧縮率のいずれかが条件を満たす設定になっているか否かを判定することを特徴とする撮像装置を提供するものである。
【０００６】
また、上記課題を解決するため、本願にかかる発明は、画像信号より被写体領域を検出する被写体検出手段を備える画像形成装置において、被写体を検出する元となった画像信号についての被写体情報を生成し、少なくとも該被写体情報及び画像サイズ及び圧縮率のいずれかに応じて、出力情報を設定する、或いは、条件を満たす設定がない旨を通知することを特徴とする画像形成装置を提供するものである。
【０００７】
また、上記課題を解決するため、本願にかかる発明は、画像信号より被写体領域を検出する被写体検出手段を備える印刷装置において、前記被写体検出手段は、被写体を検出する元となった画像信号についての被写体情報を生成し、該被写体情報に対して、少なくとも前記画像信号に設定されている出力情報及び画像サイズ及び圧縮率のいずれかが、条件を満たす設定になっているか否かを判定することを特徴とする画像形成装置を提供するものである。
【発明の効果】
【０００８】
被写体検出により得られた被写体情報に応じて、設定（圧縮率、画像サイズ、出力情報）を自動で設定したり、現在の設定が適正か否かの判定を行ったり、することを可能にする。
【発明を実施するための最良の形態】
【０００９】
以下、本発明の好適な実施形態について、図面を参照して詳細に説明する。
【００１０】
（第１の実施形態）
図１は、本発明の実施形態における撮像装置１００及び画像形成装置２００のブロック図である。
図１において、１はズームレンズ、２はフォーカスレンズ、３はシャッタ及び絞りである。１０１は撮像装置１００に設けられたレンズ鏡筒であり、ズームレンズ１、フォーカスレンズ２、絞り及びシャッタ３により構成されている。
【００１１】
ズームレンズ１、フォーカスレンズ２はそれぞれ、モータからの駆動力を受けることによって光軸方向に移動して、撮影光学系の焦点距離を変更したり、焦点調節を行ったりする。
【００１２】
４はＣＣＤセンサやＣＭＯＳセンサ等の撮像素子、８は撮像素子４の出力であるアナログ信号をデジタル信号に光電変換するＡ／Ｄ変換回路である。１５は、撮像装置内の各種デバイスを制御するカメラシステム制御回路である。１６は、カメラシステム制御回路１５の作業領域や撮影した静止画像や動画像の一時的な格納領域として使用される揮発領域とカメラ駆動に必要な設計値などを記憶しておく不揮発領域とからなるバッファメモリである。
【００１３】
なお、バッファメモリ１６の記憶容量は、所定枚数の静止画像や所定時間の動画像を格納するのに十分な容量となっており、複数枚の静止画像を連続して撮影する連続撮影やパノラマ撮影の場合にも、高速かつ大量の画像書き込みを可能にしている。
【００１４】
１７は、電池検出回路、ＤＣ−ＤＣコンバータ、通電するブロックを切り替えるスイッチ回路等により構成されている電源である。電源１７は電池の装着の有無、電池の種類、電池残量等の検出を行い、これらの検出結果およびカメラシステム制御回路１５からの命令に基づいて、ＤＣ−ＤＣコンバータを制御し、必要な電力を必要な期間だけ、撮像装置内の各種デバイスへ供給する。
【００１５】
１８は、メモリーカードやハードディスク等の記録媒体とカメラシステム制御回路１５とを繋ぐインターフェース（これよりＩ／Ｆという）である。Ｉ／Ｆ１８を介して撮像装置１００で撮影した画像データを直接画像形成装置２００、または、パソコン（これよりＰＣという）３００に転送することが可能である。
【００１６】
１９は画像データ等を格納するためのメモリである。メモリ１９を介して画像データを画像形成装置２００、または、ＰＣ３００に転送することも可能である。また、Ｉ／Ｆ１８を介してカメラシステム制御回路１５とアクセスすることが可能である。
【００１７】
９はカメラシステム制御回路１５の制御の下で、撮像装置内の各種デバイスに対するデータの入出力を行うメモリ制御回路である。５はメモリ制御回路９の制御の下でＡＤ変換回路８等にクロック信号やデジタル制御信号を供給するタイミング発生回路である。６はタイミング発生回路５の出力であるデジタル制御信号をアナログ信号に変換するＤ／Ａ変換回路である。７はＴＦＴ＿ＬＣＤ（薄膜トランジスタ駆動型液晶表示回路）等により構成され、Ｄ／Ａ変換回路６にてアナログデータに変換された信号を表示する画像表示部である。
【００１８】
なお、撮像素子４の出力信号から生成される画像データを、画像表示部７に逐次表示させることにより、電子ビューファインダ（これよりＥＶＦという）機能を実現することが可能である。
【００１９】
１０はメモリ制御回路９の制御の下で、Ｄ／Ａ変換回路６を介して画像表示部７に出力するための画像データを記憶する画像表示記憶回路である。
【００２０】
１１はＡ／Ｄ変換回路８、あるいはメモリ制御回路９の出力データに対して所定の画素補間処理や色変換処理を行う画像処理回路であり、画像処理回路１１にて、画像データが生成される。
【００２１】
１０２は画像処理回路１１内部の画像データから被写体を検出する被写体検出回路である。被写体検出回路１０２では、画像処理部１１にて生成された画像データから特徴点を抽出することで、顔領域を検出する。また、被写体検出回路１０２は、被写体を検出する元となった画像データについての被写体情報を生成する。なお被写体情報とは、画像データから検出された被写体の数、画像データから検出された全ての被写体領域の合計面積の占める割合、形状、位置、色等を含む被写体に関する情報である。本実施形態では、高速化のために被写体検出回路１０２にて顔領域を検出しているが、顔領域ではなく被写体領域そのものを検出しても良い。
【００２２】
そして、一つの画像データの中に存在する顔領域の数と顔領域が占める割合を算出し、顔画像情報としてバッファメモリ１６に一時記録する。
【００２３】
２０は、撮像装置１００の各種操作を行うスイッチ等の操作部である。１２は絞り及びシャッタ３の駆動を制御する露光制御回路、１３はフォーカスレンズ２の駆動を制御する焦点制御回路、１４はズームレンズ１の駆動を制御するズーム駆動回路１４である。カメラシステム制御回路１５は、操作部２０より行われる操作に応じて露光制御回路１２、焦点制御回路１３、ズーム制御回路１４を制御する。
【００２４】
カメラシステム制御回路１５は、画像処理回路１１での画像処理によって得られた輝度情報に基づいて露出値（絞り値およびシャッタ速度）を演算し、この演算結果に基づき露光制御回路１２を介して絞り及びシャッタ３の駆動を制御する。これによって、自動露出（これよりＡＥという）制御が行われる。カメラシステム制御１５は、画像処理回路１１での画像処理によって得られた撮影光学系の焦点調節情報（コントラスト検出値）に基づき、焦点制御回路１３を介してフォーカスレンズ２の駆動を制御する。
【００２５】
これにより、オートフォーカス（これよりＡＦという）制御などが行われる。カメラシステム制御１５は、操作部２０のうちズーミングを指示するための操作スイッチ（ズームレバーやズームボタン）の操作量および操作方向に基づき、ズーム駆動１４を介してズームレンズ１の駆動を制御する。
【００２６】
２９は操作部２０によって操作された命令、及び、撮像装置１００または、ＰＣ３００からＩ／Ｆ１８を介して送られる印刷命令を解析し、印刷制御を行う印刷システム制御回路である。
【００２７】
２７は指定された用紙サイズに応じてトレイより用紙を選択し、不図示の紙送り機構を制御することによって紙送りの制御をする用紙制御回路である。画像形成装置２００に転送された印刷画像は、被写体情報と共にバッファメモリ１６に保持される。被写体情報から画像に含まれる顔の数、顔の大きさを識別し、用紙制御回路２７に最適な用紙サイズを命令する。
【００２８】
２８は画像の色に応じた各色ごとのインクの噴射制御、不図示のインクヘッドの駆動制御などを行う印刷制御回路である。また、本実施形態で示した印刷機構は、インクジェット方式であるが、レーザービーム方式や昇華型熱転写方式などでも実現可能である。
【００２９】
次に、本実施形態における撮影処理の制御フローチャートを図２に示す。
撮像装置１００の電源がＯＮされると、撮像装置１００は、ステップＳ１０１から始まる撮像動作に備える。
【００３０】
ステップＳ１０１では、操作部２０のうちのレリーズスイッチが押下されることにより本露光が実施され、直ちにセンサから画像信号が読み出される。なお、本露光とは、撮像装置が記録を目的とした撮影を行うための指示を受けた後に行われる露光動作のことである。
ステップＳ１０２にて、被写体検出回路１０２は、画像処理回路１１にて各種画像処理が施された撮影画像から顔領域の検出を開始する。
【００３１】
ステップＳ１０３では、被写体検出回路１０２は撮影画像から顔領域が検出できたか否かの判定を行う。
ステップＳ１０３にて、被写体検出回路１０２が顔領域を検出できてないと判定すると、ステップＳ１０６にて、画像処理回路１１は、撮影画像の圧縮率をＮｏｒｍａｌに設定し、処理をステップＳ１１１に進める。
【００３２】
ステップＳ１１１では、画像処理回路１１は撮影画像のサイズをＮｏｒｍａｌに設定し、処理をステップＳ１１６に進める。
ステップＳ１０３にて、被写体検出回路１０２が顔領域を検出できたと判定すると、ステップＳ１０４以降の処理によって最適な圧縮率と画像サイズの選択を行う。
【００３３】
なお、本実施形態における画像サイズとは、１６００＊１２００或いは、２００万画素等のように表現される画像の解像度のことである。また、これは他の実施形態でも同様に言えることである。
【００３４】
ステップＳ１０４では、被写体検出回路１０２は撮影画像に含まれる顔の数の判定を行う。
ステップＳ１０４にて、被写体検出回路１０２が、撮影画像の中に４つ以上の顔が含まれていると判定した場合、その画像を集合写真とみなす。
【００３５】
そして、画像処理回路１１はステップＳ１０９にて、撮影画像の圧縮率をＬｏｗにし、ステップＳ１１４にて撮影画像の画像サイズをＬａｒｇｅにして、処理をステップＳ１１５に進める。
【００３６】
ステップＳ１０４にて、被写体検出回路１０２が、撮影画像の中に３つ以下の顔が含まれていると判定した場合、その画像をスナップ写真とみなす。
【００３７】
そして、ステップＳ１０５にて撮影画像全体から検出された全ての顔領域の合計面積の占める割合の判定を行う。
【００３８】
なお、本実施形態においては、顔の数が４つ以上と３つ以下で処理を分けているが、人が多く写っているか、そうでないかの判定基準となりうる値であるならば、上記の数値に限られるわけではない。また、これは他の実施形態でも同様に言えることである。
【００３９】
ステップＳ１０５にて、被写体検出回路１０２が、撮影画像全体から検出された全ての顔領域の合計面積の占める割合が１０％以上であると判定すると、撮影画像を人物を主被写体とした写真であるとみなし、処理をステップＳ１０７へ進める。
【００４０】
ステップＳ１０５での判定の結果、圧縮率を高くしても顔が潰れることがないと考えられるので、ステップＳ１０７では、画像処理回路１１は撮影画像の圧縮率をＨｉｇｈにして、処理をステップＳ１１０に進める。
【００４１】
なお、顔が潰れていない（適正な画像であるか）という条件を満たしているか否かの判定は、被写体検出回路１０２が、顔の数と撮影画像全体から検出された全ての顔領域の合計面積の占める割合に対して、撮影画像がどのような設定状態（圧縮率、用紙サイズ、画像サイズ）であるかによって行う。
【００４２】
また、本実施形態では出力情報として用紙サイズのみを規定しているが、プリントクオリティーを加えても良い。そうすることで、より細かく分類することができ、更に精度の高い判定を行うことが可能である。なお、これは他の実施形態でも同様に言えることである。また、本実施形態におけるプリントクオリティーとは、印刷画像の解像度のことを意味しており、ｄｐｉ（Ｄｏｔ  ｐｅｒ  ｉｎｃｈ）の単位で表される。
【００４３】
具体的には、被写体検出回路１０２が、顔の数と撮影画像全体から検出された全ての顔領域の合計面積の占める割合と、設定状態との組み合わせ毎に評価値を算出する。
【００４４】
そして、被写体検出回路１０２は、画像における顔の形状等から設定した閾値と評価値を比較して、潰れている組み合わせと潰れていない組み合わせを決定する。
【００４５】
ステップＳ１０５にて、被写体検出回路１０２が、撮影画像全体から検出された全ての顔領域の合計面積の占める割合が１０％未満であると判定すると、撮影画像を背景を含む人物写真であるとみなし処理をステップＳ１０８へ進める。
【００４６】
なお、本実施形態においては、顔領域の合計面積の占める割合が１０％以上と１０％未満で処理を分けているが、顔が潰れるか否かの基準となりうる値であるならば、上記の数値に限定されるわけではない。また、処理を２つではなく、更に細かく分けてもよい。また、これは他の実施形態でも同様に言えることである。
【００４７】
ステップＳ１０８では、ステップＳ１０５での判定の結果から、圧縮率を高くすると顔画像が潰れる可能性があると考えられるので、画像処理回路１１は撮影画像の圧縮率をＬｏｗにして、処理をステップＳ１１０に進める。
【００４８】
なお、圧縮率の種類はＨｉｇｈ、Ｎｏｒｍａｌ、Ｌｏｗに限られるわけでなく、更に細かく圧縮率の分類を行って設定できるようにしても良い。また、これは他の実施形態でも同様に言えることである。
【００４９】
ステップＳ１１０では、画像処理回路１１は、予め設定された印刷の用紙サイズに応じて、画像サイズを決定する。用紙サイズがＬ判に指定されている場合には、画像処理回路１１はステップＳ１１２にて、画像サイズをＳｍａｌｌにし、処理をステップＳ１１５に進める。
【００５０】
用紙サイズがＡ４に指定されている場合には、画像処理装置１１はステップＳ１１３にて、画像サイズをＬａｒｇｅにし、処理をステップＳ１１５に進める。
【００５１】
なお、本実施形態においては、用紙サイズに応じて画像サイズを決定しているが、更に多くの用紙サイズを設定できるようにし、それに対して、画像サイズも細かく分類しても良い。また、これは他の実施形態でも同様に言えることである。
【００５２】
ステップＳ１１５では、被写体検出回路１０２は、検出された顔の数、撮影画像全体から検出された全ての顔領域の合計面積の占める割合を顔画像情報として生成し、処理をステップＳ１１６に進める。
【００５３】
ステップＳ１１６では、カメラシステム制御回路１５は、バッファメモリ１６に一時記録されている撮影画像に対して、設定されている圧縮率と画像サイズで画像調整処理を行い、処理をステップＳ１１７へ進める。
【００５４】
なお、ここで言う画像調整処理とは、ホワイトバランス処理や彩度の調整処理のことである。
【００５５】
ステップＳ１１７では、画像表示部７は、ステップＳ１１６にて画像調整処理を行った画像を画像表示部７にて表示して、記録するか否かの選択を行う。
【００５６】
図３及び図４に、現在設定されている圧縮率と画像サイズで撮影された画像を撮像装置１００の画像表示部７に表示し、記録するか否かの選択を操作部２０を操作することで行う際の様子を示す。
【００５７】
まず、図３について説明する。画像表示部７に『詳細確認しますか？』と表示される。使用者は『はい』又は『いいえ』のどちらかを選択することができる。
【００５８】
『はい』又は『いいえ』の選択は、撮像装置に備えられた操作部２０（例えば図３に記載の、右上部のズームレバー、三角ボタンや丸ボタン等）を操作することで行う。
【００５９】
『はい』を選択すると、使用者は、操作部２０を操作することで表示画像の拡大等を行い、画像の詳細な状態を調べることができる。
【００６０】
画像の詳細な状態が確認できたら、表示画像の詳細確認を終え、画像記録の選択画面に移る。
【００６１】
『いいえ』を選択すると、表示画像の詳細確認は行わずに、続けて画像記録の選択画面に移る。
【００６２】
次に図４について説明する。画像記録の選択画面に移ると、画像表示部７に『記録しますか？』と表示されるので、使用者は『はい』又は『いいえ』のどちらかを選択することができる。
【００６３】
『はい』又は『いいえ』の選択は、上記と同様に撮像装置に備えられた操作部２０を操作することで行う。
【００６４】
なお、画像表示部７に表示されるメッセージは、上記したものに限られるものではなく、画像の詳細を確認するか否かと、記録するか否かを使用者に問うものであれば、どのようなメッセージでもよい。
【００６５】
ステップＳ１１７にて、使用者が撮影画像を記録する選択を行う場合は、カメラシステム制御回路１５は、ステップＳ１１８に処理を進めて、設定されている圧縮率と画像サイズで撮影された画像をメモリ１９に記録する。
【００６６】
ステップＳ１１７にて、使用者が撮影画像を記録する選択を行わない場合は、カメラシステム制御回路１５は、ステップＳ１１９に処理を進めて、圧縮率と画像サイズを再設定する。
【００６７】
図５に、圧縮率と画像サイズの再選択を行う際の様子を示す。
【００６８】
使用者が記録をしないという選択を行った場合は、続けて画像表示部７に『圧縮率を選択してください。』と表示されるので、『Ｈｉｇｈ』又は『Ｌｏｗ』から圧縮率の選択を行う。
【００６９】
圧縮率の選択は、撮像装置に備えられた操作スイッチ（例えば図３に記載の三角ボタンや丸ボタン等）を操作することで行う。
【００７０】
圧縮率の選択が終了すると、続けて画像表示部７に画像サイズの選択を促すメッセージを表示して、使用者は画像サイズの選択を行う。
【００７１】
なお、選択可能な圧縮率の種類は上記に限られるわけではない。また、画像表示部７に表示されるメッセージは、圧縮率の選択を促し、圧縮率の選択を行うことができるものであれば、上記したメッセージに限られるわけではない。
【００７２】
ステップＳ１１９にて、圧縮率と画像サイズを再設定が行われると、カメラシステム制御回路１５は、ステップＳ１２０に処理を進めて、バッファメモリ１６に一時記録されている撮影画像に対して、設定されている圧縮率と画像サイズで画像調整処理を行う。
【００７３】
ステップＳ１２０にて、カメラシステム制御回路１５が画像調整処理を完了すると、処理をステップＳ１１８へ進めて、設定されている圧縮率と画像サイズで撮影された画像をメモリ１９に記録し処理を終える。
【００７４】
なお、本実施形態においては、設定されている圧縮率と画像サイズで画像調整処理された画像の詳細確認をするか否かの選択と、記録するか否かの選択を使用者が行っているが、どちらか一方、或いは両方ともの選択を行わずにそのまま記録するようにしても良い。
【００７５】
また、本実施形態においては、画像圧縮率を設定した後に画像サイズを設定しているが、逆の手順になっても良い。これは他の実施形態でも同様に言えることである。
【００７６】
また、本実施形態においては、検出された顔の数、顔領域の合計面積の占める割合、用紙サイズに応じて、圧縮率及び画像サイズを設定しているが、必ずしも検出された顔の数、顔領域の合計面積の占める割合、用紙サイズ、の全てを判定基準にする必要はない。
【００７７】
判定基準としては、上記の３つの要素を適宜組みあわせればよい。これは他の実施形態でも同様に言えることである。
【００７８】
また、圧縮率及び画像サイズの設定に関しても上記と同上に、必ずしも共に設定する必要はない。
【００７９】
このように、本実施形態では、検出された顔の数と撮影画像から検出された全ての顔領域の合計面積の占める割合に応じて、最適な圧縮率と画像サイズの設定が自動で行われる。
【００８０】
また、設定された圧縮率と画像サイズが使用者にとって満足のいくものでない場合は、使用者が任意に圧縮率と画像サイズを変更することも可能である。
【００８１】
なお、本実施形態においては、検出された顔の数と撮影画像から検出された全ての顔領域の合計面積の占める割合に応じて圧縮率等の設定を行っているが、被写体検出回路により検出された被写体についての被写体情報であるならば、上記以外の要素でも良い。
【００８２】
（第２の実施形態）
本実施形態の動作を図面を参照して詳細に説明する。
【００８３】
第１の実施形態では、レリーズスイッチが押下された後、検出された顔の数と撮影画像から検出された全ての顔領域の合計面積の占める割合に応じて、最適な画像が撮影できるように、自動で圧縮率、画像サイズが設定されている。  それに対して、本実施形態では、撮影を行う前の段階であるＥＶＦモニタリング中に、現在の設定（圧縮率、用紙サイズ、画像サイズ）が最適な設定でなければ使用者に、その旨を報知する点が異なる点である。
【００８４】
図６は本発明の第２の実施形態における処理のフローチャートを示している。本実施形態を実施するにあたっての撮像装置のブロック図は図１と同様なのでその説明は省略する。
【００８５】
撮像装置１００の電源がＯＮされると、撮像装置１００は、ステップＳ２０１から始まる撮像動作に備える。
【００８６】
ステップＳ２０１にて、使用者は、画像表示部７のＥＶＦ機能をＯＮにして被写界のモニタリングを始める。
ステップＳ２０２では、被写体検出回路１０２は画像表示部７に表示されている画像に対して顔検出を行う。
【００８７】
ステップＳ２０３では、被写体検出回路１０２は、ステップＳ２０２にて顔領域が検出できたか否かの判定を行う。
ステップＳ２０３にて、被写体検出回路１０２は、顔領域が検出できなかったと判定すると、カメラシステム制御回路１５は処理をステップＳ２０２にもどし、再び顔領域の検出を行う。
ステップＳ２０３にて、被写体検出回路１０２は、顔領域が検出できたと判定すると、カメラシステム制御回路１５は処理をステップＳ２０４に進める。
【００８８】
ステップＳ２０４では、被写体検出回路１０２は画像表示部７に表示されている画像に含まれる顔の数の判定を行う。
ステップＳ２０４にて、被写体検出回路１０２が、画像表示部７に表示されている画像に含まれる顔の数が３つ以下であると判定すると、処理をステップＳ２０５に進める。
【００８９】
ステップＳ２０４にて、被写体検出回路１０２が、画像表示部７に表示されている画像に含まれる顔の数が４つ以上であると判定すると、処理をステップＳ２０７に進める。
【００９０】
ステップＳ２０５にて、被写体検出回路１０２が、表示画像全体から検出された全ての顔領域の合計面積の占める割合が１０％以上であると判定すると、顔が大きく写った画像であるとみなし、処理をステップＳ２０８へ進める。
ステップＳ２０５にて、被写体検出回路１０２が、表示画像全体から検出された全ての顔領域の合計面積の占める割合が１０％未満かつ３％以上であると判定すると、背景を含む人物画像であるとみなし処理をステップＳ２０６へ進める。
ステップＳ２０５にて、被写体検出回路１０２が、表示画像全体から検出された全ての顔領域の合計面積の占める割合が３％未満であると判定すると、人物を含んではいるが、人物が小さすぎる画像であるとみなし処理をステップＳ２１１へ進める。
【００９１】
ステップＳ２０６とステップＳ２０７では、画像処理回路１１は、現在設定されている画像の圧縮率が適正か否かを判定する。
ステップＳ２０６にて、現在設定されている画像の圧縮率がＨｉｇｈの場合、用紙サイズ、画像サイズをどのようなサイズにしても、顔が潰れる可能性があると考えられるので、カメラシステム制御回路１５は処理をステップＳ２１１へ進める。
ステップＳ２０６にて、現在設定されている画像の圧縮率がＬｏｗの場合、用紙サイズ、画像サイズによっては顔が潰れる可能性があると考えられるので、カメラシステム制御回路１５は処理をステップＳ２０８へ進める。
【００９２】
ステップＳ２０７にて、現在設定されている画像の圧縮率がＨｉｇｈの場合、用紙サイズ、画像サイズをどのようなサイズにしても、顔が潰れる可能性があると考えられるので、カメラシステム制御回路１５は処理をステップＳ２１１へ進める。
ステップＳ２０７にて、現在設定されている画像の圧縮率がＬｏｗの場合、用紙サイズ、画像サイズによっては顔が潰れる可能性があると考えられるので、カメラシステム制御回路１５は処理をステップＳ２０９へ進める。
【００９３】
ステップＳ２０８にて、現在設定されているプリント用の用紙サイズがＡ４の場合、画像サイズによっては、印刷時の解像度が荒くなる可能性があると考えられるので、カメラシステム制御回路１５は処理をステップＳ２１０へ進める。ステップＳ２０８にて、現在設定されているプリント用の用紙サイズがＬ判の場合、画像サイズをどのようなサイズにしても、顔が潰れる可能性はないと考えられるので、カメラシステム制御回路１５は処理をステップＳ２０２に戻す。
【００９４】
ステップＳ２０９にて、現在設定されているプリント用の用紙サイズがＡ４の場合、画像サイズによっては、顔が潰れる可能性があると考えられるので、カメラシステム制御回路１５は処理をステップＳ２１０へ進める。
ステップＳ２０９にて、現在設定されているプリント用の用紙サイズがＬ判の場合、画像サイズをどのようなサイズにしても、顔が潰れる可能性があると考えられるので、カメラシステム制御回路１５は処理をステップＳ２１１へ進める。
【００９５】
ステップＳ２１０にて、現在設定されている画像サイズがＳｍａｌｌであれば、ステップＳ２０４からステップＳ２０９までの判定結果を考慮し、顔が潰れる可能性があると考えられるので、カメラシステム制御回路１５は処理をステップＳ２１１へ進める。
ステップＳ２１０にて、現在設定されている画像サイズがＬａｒｇｅであれば、ステップＳ２０４からステップＳ２０９までの判定結果を考慮し、顔が潰れる可能性はないと考えられるので、カメラシステム制御回路１５は処理をステップＳ２０２に戻す。
【００９６】
ステップＳ２１１では、現在の設定（圧縮率、用紙サイズ、画像サイズ）では、顔が潰れる、或いは印刷時の解像度が荒くなる可能性があるので、画像表示部７にその旨を表示する。
【００９７】
そうすることで、使用者に現在の設定が適切でない旨を報知し、カメラシステム制御回路１５は処理をステップＳ２０２に戻す。
【００９８】
図７は、使用者に対して顔潰れの可能性があると報知している様子を示している図である。
画像データと共に現在設定されている圧縮率、画像サイズ、及び『＊顔潰れの可能性があります』とのメッセージが表示される。なお、印刷時の解像度が荒くなっている可能性がある場合は、その旨を表示する。
【００９９】
なお、使用者に報知した後に続けて、第１の実施形態のステップＳ１１７で行っているように、表示画像の詳細表示を行い実際に顔が潰れているか否かの確認をできるようにしてもよい。
【０１００】
また、顔が潰れている可能性がある旨を使用者に報知するための手段として、音声、ランプの点灯或いは点滅、警告マークの表示などを使用したり、メッセージの表示も含めた上記の手段とを組みあわせて使用したりしてもよい。これは他の実施形態でも同様に言えることである。
【０１０１】
このように、本実施形態では、ＥＶＦモニタリング中に、現在の設定（圧縮率、用紙サイズ、画像サイズ）が最適な設定でなければ使用者にその旨を報知するので、撮影を行う前に最適な設定に変更することができ、スムースな撮影を可能にする。
【０１０２】
（第３の実施形態）
本実施形態の動作を図面を参照して詳細に説明する。
【０１０３】
第２の実施形態と同じ処理を行うステップには同じステップ番号が割り当てられる。
第２の実施形態では、撮像装置単体の処理について、説明したが、本実施形態においては、画像形成装置２００に対して、撮像装置１００或いはＰＣ３００から、すでに撮影された画像の印刷を指示する際の動作について説明を行う。
【０１０４】
図８は本発明の第３の実施形態における処理のフローチャートを示している。
図６と異なるのは、ステップＳ３０１からステップＳ３０２、ステップ３０８からステップＳ３１６、であるのでそれ以外のステップの説明は省略する。
【０１０５】
撮像装置１００、画像形成装置２００、ＰＣ３００の電源がＯＮされると、撮像装置１００、画像形成装置２００、ＰＣ３００は、ステップＳ３０１から始まる動作に備える。
【０１０６】
ステップＳ３０１において、撮像装置１００又はＰＣ３００は画像形成装置２００に対して、撮影済みの画像データに、被写体検出回路１０２にて検出した顔画像情報を付加したデータを送り、カメラシステム制御回路１５は処理をステップＳ３０２に進める。
【０１０７】
なお、顔画像情報とは、顔の位置情報、顔の大きさ、顔の数等、顔検出の結果によって得られる各種データのことである。
【０１０８】
また、画像データには予め圧縮率、画像サイズ、印刷用紙サイズ等の画像情報が付加されている。
【０１０９】
画像形成装置２００に対してのデータの送信方法としては、画像データと共に、画像データとは別ファイルの顔画像情報データを送る方法も考えられる。
【０１１０】
また、画像データだけを送り、画像形成装置２００側の被写体検出回路１０２にて、その画像に対し顔検出を行い、顔情報データを得るようにしても良い。
【０１１１】
ステップＳ３０２では、印刷システム制御回路２９は、ステップ３０１にて得た画像データと顔画像情報データを読み込み、処理をステップＳ２０３へ進める。
【０１１２】
Ｓ３１０にて、印刷システム制御回路２９は印刷用紙サイズを画像形成装置２００でデフォルトに設定されているサイズに設定して、処理をステップＳ３１４へ進める。
【０１１３】
ステップＳ３０８では、画像処理回路１１が画像データのサイズを判定する。
ステップＳ３０８にて、画像処理回路１１が画像データのサイズがＳｍａｌｌであると判定すると、ステップＳ３１１にて、印刷システム制御回路２９は印刷用紙サイズをＬ判に設定し、処理をステップＳ３１４へ進める。
ステップＳ３０８にて、画像処理回路１１が画像データのサイズがＬａｒｇｅであると判定すると、印刷システム制御回路２９は処理をステップＳ３１２に進める。
【０１１４】
ステップＳ３０９では、画像処理回路１１が画像データのサイズを判定する。
【０１１５】
ステップＳ３０９にて、画像処理回路１１が画像データのサイズがＬａｒｇｅであると判定すると、印刷システム制御回路２９は処理をステップＳ３１２に進める。
ステップＳ３０９にて、画像処理回路１１が画像データのサイズがＳｍａｌｌであると判定すると、印刷システム制御回路２９は処理をステップＳ３１３に進める。
【０１１６】
ステップＳ３１２では、印刷システム制御回路２９は印刷用紙サイズをＡ４に設定し、処理をステップＳ３１４へ進める。
【０１１７】
ステップＳ３１３では、現在の設定（圧縮率、画像サイズ）では、どのサイズの印刷用紙を使用したとしても、顔が潰れる可能性があるので、画像表示部７の用紙サイズ表示欄に『＊＊＊』と表示をすることで、使用者に適正な用紙サイズがない旨を報知する。
【０１１８】
そして、報知が完了したら、印刷システム制御回路２９は処理をステップＳ３１４に進める。
【０１１９】
なお、適正な用紙サイズがない旨が使用者に伝わるのであるならば、どのような表示でも良い。
【０１２０】
ステップＳ３１４では、画像表示部７は、印刷対象の画像を画像表示部７にて表示して、使用者は、印刷するか否かの選択を操作部２０を操作することで行う。
【０１２１】
図９は、現在設定されている印刷用紙サイズで印刷するか否かの選択を操作部２０を操作することで行う際の様子を示している。
【０１２２】
画像データと共に、現在設定されている印刷用紙サイズ、『印刷を行いますか？』とのメッセージが表示される。
【０１２３】
使用者は、現在設定されている印刷用紙サイズで印刷を行うか否かを『はい』又は『いいえ』を操作部２０を操作することで選択し決定する。
【０１２４】
なお、第１の実施形態のステップＳ１１７で行っているように、表示画像の詳細表示を行い印刷状況の事前確認を先に行ってから、使用者に印刷を行うか否かの選択を行わせてもよい。
【０１２５】
ステップＳ３１４にて、印刷すると選択した場合は、印刷システム制御回路２９は処理をステップＳ３１６に進め、設定されている印刷用紙サイズにて印刷を行い、処理を終える。
【０１２６】
ステップＳ３１４にて、印刷しないと選択した場合は、印刷システム制御回路２９は処理をステップＳ３１５に進め、使用者は印刷用紙サイズの変更を行うか否かの選択を行う。
【０１２７】
ステップＳ３１５では、画像表示部７は、印刷対象の画像を画像表示部７にて表示して、使用者は、印刷用紙のサイズを変更するか否かの選択を操作部２０を操作することで行う。
【０１２８】
図１０は、現在設定されている印刷用紙サイズを変更するか否かの選択を操作部２０を操作することで行う際の様子を示している。
【０１２９】
画像データと共に、現在設定されている印刷用紙サイズ、『用紙サイズの変更を行いますか？』とのメッセージが表示される。
【０１３０】
使用者は、現在設定されている印刷用紙サイズの変更を行うか否かを『はい』又は『いいえ』を操作部２０を操作することで選択し決定する。
【０１３１】
ステップＳ３１５にて、印刷用紙サイズの変更をした場合は、印刷システム制御回路２９は処理をステップＳ３１６に進め、変更した印刷用紙サイズにて印刷を行い、処理を終える。
【０１３２】
ステップＳ３１５にて、印刷用紙サイズの変更をしない場合は、印刷システム制御回路２９は印刷を行わず処理を終了する。
【０１３３】
なお、画像表示部７に表示されるメッセージは、上記したものに限られるものではなく、用紙サイズの変更を行うか否かを使用者に問い、それに答えるものであれば、どのようなメッセージでもよい。
【０１３４】
このように、本実施形態では、画像データから検出した顔画像情報と画像データに付加されている画像情報を用いることで、最適な印刷用紙サイズを設定し、印刷することを可能にしている。
【０１３５】
（第４の実施形態）
本実施形態の動作を図面を参照して詳細に説明する。
【０１３６】
第３の実施形態と同じ処理を行うステップには同じステップ番号が割り当てられる。
【０１３７】
本実施形態においては、予め設定されている画像情報が、得られた顔画像情報に対して、適正か否かの判定を行い、適正であれば印刷、適正でなければ警告を行う画像形成装置について説明する。
【０１３８】
図１１は本発明の第４の実施形態における処理のフローチャートを示している。
【０１３９】
図８と異なるのは、ステップＳ４１１からステップＳ４１４であるのでそれ以外のステップの説明は省略する。
【０１４０】
ステップＳ４１１にて、印刷用紙サイズとしてＡ４が設定されている場合は、画像サイズがＳｍａｌｌなので、印刷時の解像度が荒くなる可能性がある為、印刷システム制御回路２９は処理をステップＳ４１４へ進める。
【０１４１】
ステップＳ４１１にて、印刷用紙サイズとしてＬ判が設定されている場合は、印刷用紙サイズは適正であると考えられるので、印刷システム制御回路２９は処理をステップＳ４１３へ進める。
【０１４２】
ステップＳ４１２にて、印刷用紙サイズとしてＬ判が設定されている場合は、画像の中に多くの人が写っている集合写真なので、顔が潰れる可能性がある為、印刷システム制御回路２９は処理をステップＳ４１４へ進める。
【０１４３】
ステップＳ４１２にて、印刷用紙サイズとしてＡ４が設定されている場合は、印刷用紙サイズは適正であると考えられるので、印刷システム制御回路２９は処理をステップＳ４１３へ進める。
【０１４４】
ステップＳ４１３では、印刷システム制御回路２９は設定された印刷用紙サイズにて印刷を行い、処理を終了させる。
【０１４５】
ステップＳ４１４にて、印刷システム制御回路２９は現在の設定（圧縮率、用紙サイズ、画像サイズ）では顔が潰れる、或いは印刷時の解像度が荒くなる可能性があるので、画像表示部７にその旨を表示し、処理をステップＳ４１５に進める。
【０１４６】
なお、使用者に報知した後に続けて、第１の実施形態のステップＳ１１７で行っているように、表示画像の詳細表示を行い実際に顔が潰れているか否かの確認をできるようにしてもよい。
【０１４７】
ステップＳ４１５にて、画像表示部７は、印刷対象の画像を画像表示部７にて表示して、使用者は、用紙サイズを変えずに印刷を行う、用紙サイズを変えて印刷を行う、印刷を行わないかの選択を操作部２０を操作することで行う。
図１２は、用紙サイズを変えずに印刷を行う、用紙サイズを変えて印刷を行う、印刷を行わないかの選択を操作部２０を操作することで行う際の様子を示している。
【０１４８】
画像データと共に、現在設定されている印刷用紙サイズ、『印刷しますか？』とのメッセージが表示される。
【０１４９】
使用者は、『はい（変更あり）』、『はい（変更なし）』、『いいえ』のいずれかを操作部２０を操作することで選択し決定する。
【０１５０】
ステップＳ４１５にて、使用者が『はい（変更あり）』を選択した場合は、印刷システム制御回路２９は処理をステップＳ４１７に進め、使用者は印刷用紙サイズを変更して印刷を行い、処理を終える。
【０１５１】
ステップＳ４１５にて、使用者が『はい（変更なし）』を選択した場合は、印刷システム制御回路２９は処理をステップＳ４１６に進め、使用者は印刷用紙サイズを変更せずに印刷を行い、処理を終える。
【０１５２】
ステップＳ４１５にて、使用者が『いいえ』を選択した場合は、印刷システム制御回路２９は印刷を行わずに処理終える。
【０１５３】
なお、画像表示部７に表示されるメッセージは、上記したものに限られるものではなく、印刷するか否かを問い、それに答えるものであれば、どのようなメッセージでもよい。
【０１５４】
また、ステップＳ４１４にて、使用者に報知した後に、印刷するか否かの選択を使用者に求めず、印刷を行わないまま処理を終えてもよい。
【０１５５】
このように、本実施形態では、画像データから検出した顔画像情報と画像データに付加されている画像情報を用いることで、使用者が予め設定した印刷用紙サイズが適正か否かを判定している。そして、適正でない場合は使用者に警告することで好適な印刷を行うことを可能にしている。
【図面の簡単な説明】
【０１５６】
【図１】本発明の実施例である撮像装置１００及び画像形成装置２００のブロック図である。
【図２】本発明の第１の実施形態における撮影処理の制御フローである。
【図３】設定されている圧縮率と画像サイズで撮影された画像の詳細確認をするか否かの選択を行う際の様子を示す図である。
【図４】設定されている圧縮率と画像サイズで撮影された画像を、記録するか否かの選択を行う際の様子を示す図である。
【図５】圧縮率と画像サイズの再選択を行う際の様子を示す図である。
【図６】本発明の第２の実施形態における撮影処理の制御フローである。
【図７】使用者に対して顔潰れの可能性があると報知している様子を示す図である。
【図８】本発明の第３の実施形態における印刷処理の制御フローである。
【図９】現在設定されている印刷用紙サイズで印刷するか否かの選択を行う際の様子を示す図である。
【図１０】印刷用紙サイズを変更するか否かの選択を行う際の様子を示す図である。
【図１１】本発明の第４の実施形態における印刷処理の制御フローである。
【図１２】印刷するか否かの選択を行う際の様子を示す図である。
【符号の説明】
【０１５７】
１  ズームレンズ
２  フォーカスレンズ
３  絞り及びシャッタ
４  撮像素子
５  タイミング発生回路
６  ＤÅ変換回路
７  画像表示部
８  ＡＤ変換回路
９  メモリ制御回路
１０  画像表示記憶回路
１１  画像処理回路
１２  露光制御回路
１３  焦点制御回路
１４  ズーム制御回路
１５  カメラシステム制御回路
１６  バッファメモリ
１７  電源
１８  インターフェース（Ｉ／Ｆ）
１９  メモリ
２０  操作部
２７  用紙制御回路
２８  印刷制御回路
２９  印刷システム制御回路
１００  撮像装置
１０１  レンズ鏡筒
１０２  被写体検出回路
２００  画像形成装置
３００  パソコン（ＰＣ）
【図１】
2008017127.tif 000003
【図２】
2008017127.tif 000004
【図３】
2008017127.tif 000005
【図４】
2008017127.tif 000006
【図５】
2008017127.tif 000007
【図６】
2008017127.tif 000008
【図７】
2008017127.tif 000009
【図８】
2008017127.tif 000010
【図９】
2008017127.tif 000011
【図１０】
2008017127.tif 000012
【図１１】
2008017127.tif 000013
【図１２】
2008017127.tif 000014